(57)【要約】　　　（修正有）【課題】画像形成装置が上部に有する開閉部を開閉する際に、開閉操作部とシート積載トレイとの当接を防止して、画像形成装置の誤動作及び操作部の破損を回避できるシート後処理装置、画像形成装置を提供する。【解決手段】画像形成装置本体１００の上方に着脱可能に接続され、画像形成装置本体１００によって画像形成されて排出されるシートを積載するシート積載トレイ３０４を有し、シート積載トレイ３０４が画像形成装置本体１００の上部に形成されたカートリッジカバー３１４の上方に位置するシート後処理装置３００において、シート積載トレイ３０４が、カートリッジカバー３１４を開いた状態でカートリッジカバー３１４と当接する位置に配置され、かつ、シート積載トレイ３０４とカートリッジカバー３１４に設けられた操作部３１５との接触を避ける右リブ３０８、左リブを有する。【選択図】　　図１
2004059194.tif 000002
【特許請求の範囲】
【請求項１】
画像形成装置本体の上方に着脱可能に接続され、画像形成装置本体によって画像形成されて排出されるシートを積載するシート積載トレイを有し、該シート積載トレイが前記画像形成装置本体の上部に形成された開閉部の上方に位置するシート後処理装置において、
前記シート積載トレイが、前記開閉部を開いた状態で前記開閉部と当接する位置に配置され、かつ、前記シート積載トレイと前記開閉部に設けられた操作部との接触を避ける接触防止手段を有することを特徴とするシート後処理装置。
【請求項２】
前記接触防止手段は、前記シート積載トレイに設けられた所定の高さの凸部であり、前記操作部を避ける位置に配置されていることを特徴とする請求項１に記載のシート後処理装置。
【請求項３】
前記シート積載トレイに設けられた凸部は、前記シート積載トレイに対して着脱可能であることを特徴とする請求項２に記載のシート後処理装置。
【請求項４】
前記シート積載トレイは、第１のポジションと、第２のポジションとを備え、前記第１のポジションは前記第２のポジションより画像形成装置本体側であり、前記シート積載トレイは、前記第１のポジションでシートを積載することを特徴とする請求項１乃至３のいずれかに記載のシート後処理装置。
【請求項５】
前記シート積載トレイは、前記第１のポジションで前記画像形成装置開閉部と当接すると、第２のポジションに退避可能であることを特徴とする請求項４記載のシート後処理装置。
【請求項６】
前記接触防止手段は、前記操作部のシート積載トレイへの投影部の外の領域に配されていることを特徴とする請求項１乃至５のいずれかに記載のシート後処理装置。
【請求項７】
前記接触防止手段は、前記開閉部と当接した際に、前記シート積載トレイと前記操作部の操作ボタンとの間に空間を形成することを特徴とする請求項１乃至６のいずれかに記載のシート後処理装置。
【請求項８】
前記接触防止手段は、前記シート積載トレイの下面に設けられた所定の深さのトレイ凹部であり、前記開閉部を開閉した際に前記操作部及び該操作部の操作ボタンが前記トレイ凹部に入り込む位置に設けられていることを特徴とする請求項１に記載のシート後処理装置。
【請求項９】
シートに画像を形成する画像形成装置本体であって、画像形成されて排出されるシートを積載するシート積載トレイを有するシート後処理装置を、画像形成装置本体の上方に着脱可能に接続し、前記シート積載トレイの下方に開閉部を有する画像形成装置本体おいて、
前記開閉部は開いた状態で前記シート積載トレイと当接する位置に設けられ、かつ、前記シート積載トレイと前記開閉部に設けられた操作部との接触を避ける接触防止手段を有し、
該接触防止手段は、前記開閉部に着脱可能に設けられた所定の高さの凸部であり、前記操作部を避ける位置に配置されていることを特徴とする画像形成装置本体。
【請求項１０】
請求項１乃至８のいずれかに記載のシート後処理装置と、該シート後処理装置を上方に着脱可能に接続し、シートに画像を形成する画像形成装置本体とを有することを特徴とする画像形成装置。
【請求項１１】
請求項９に記載の画像形成装置本体と、該画像形成装置本体の上方に着脱可能に接続し、画像形成装置本体によって画像形成されて排出されるシートを積載するシート後処理装置とを有することを特徴とする画像形成装置。
【発明の詳細な説明】
【０００１】
【発明の属する技術分野】
本発明は、シートが積載されるシート後処理装置、シートに画像を形成する画像形成装置本体及びシート後処理装置を画像形成装置本体に備えた画像形成装置とに関するものである。
【０００２】
【従来の技術】
従来、複写機、プリンタ、ファクシミリ、及びこれらの複合機等の画像形成装置は、画像形成（印字）したシートを、画像形成装置の排出口下流側に設けたシート後処理装置又はシート積載装置に積載するようになっているものが多い。
【０００３】
このような画像形成装置には、画像形成装置のシート排出口から排出したシートをシート後処理装置又はシート積載装置で受け取って積載するタイプのものがある。
【０００４】
また、最近では、省スペース化のため、フットプリントを下げるべく、シート後処理装置又はシート積載装置を画像形成装置の本体上方に積層して、シート後処理装置又はシート積載装置の上面に位置した画像形成装置側のシート排出口から排出されるシートをシート後処理装置又はシート積載装置で受け取って積載するタイプのものが出まわってきている。
【０００５】
さらに、同じくフットプリントの問題から大量にシートを供給する大量シート供給オプションを画像形成装置本体の下層に配置して、全体として細長くて高さの高いトール（ＴＡＬＬ）タイプのものも増えてきている。
【０００６】
ところで、これらの画像形成装置には、例えば、トナーカートリッジを交換するとき、画像形成装置の上面に設けた開閉部（カートリッジカバー）を開いて、上方からトナーカートリッジを交換するタイプのものが多く、また、操作性を向上するために、カートリッジカバーに、画像形成装置の操作部を有しているものもある。
【０００７】
【発明が解決しようとする課題】
しかし、シート後処理装置を画像形成装置の本体上方に積層し、上面にカートリッジカバーを設けたタイプの画像形成装置は、カートリッジカバーを開いたとき、画像形成装置の上方に積層したシート後処理装置のシート積載トレイにカートリッジカバーが当たり、トナーカートリッジを交換しにくい。また、無理にカートリッジカバーを開くと、シート後処理装置のシート積載トレイにカートリッジカバーに設けられた操作部があたり、誤って操作ボタンを押してしまうことにより、プリンタを誤動作させる危険性がある。また、シート積載トレイが操作部と衝突することにより、操作部に設けられた液晶パネルを傷つけたり、破損させてしまう場合がある。
【０００８】
そこで、カートリッジ交換時に、シート後処理装置全体、又はシート積載トレイを取り外すことも考えられるが、カートリッジ交換の作業が煩雑になる。また、カバーが回動するスペースを十二分に確保することも考えられるが、画像形成装置本体に対するシート後処理装置の取り付け位置が高くなり、特に、トールタイプの画像形成装置に使用した際に、画像形成装置全体の高さが高くなり、シート後処理装置をユーザが使用しにくくなる。
【０００９】
なお、カートリッジカバーのみならず、画像形成装置の上面にジャム処理や保守管理をするとき開閉するメンテナンス用の扉を備えている画像形成装置においても同様な問題があった。
【００１０】
そこで、本発明は、画像形成装置が上部に有する開閉部を開閉する際に、開閉部が備えた操作部にシート積載トレイが当接しないようにすることにより、画像形成装置の誤動作及び操作部の破損を防止するシート後処理装置、画像形成装置本体と、このシート後処理装置又は画像形成装置本体に装備して、画像形成装置全体の高さを高くすることなく部品の交換や、メンテナンス等を容易に行える画像形成装置とを提供することを目的としている。
【００１１】
【課題を解決するための手段】
上記課題を解決するために本発明に係るシート後処理装置及びこれを具備する画像形成装置の代表的な構成は、画像形成装置本体の上方に着脱可能に接続され、画像形成装置本体によって画像形成されて排出されるシートを積載するシート積載トレイを有し、該シート積載トレイが前記画像形成装置本体の上部に形成された開閉部の上方に位置するシート後処理装置において、前記シート積載トレイが、前記開閉部を開いた状態で前記開閉部と当接する位置に配置され、かつ、前記シート積載トレイと前記開閉部に設けられた操作部との接触を避ける接触防止手段を有することを特徴とする。
【００１２】
また、上記課題を解決するために本発明に係る画像形成装置本体及びこれを具備する画像形成装置の代表的な構成は、シートに画像を形成する画像形成装置本体であって、画像形成されて排出されるシートを積載するシート積載トレイを有するシート後処理装置を、画像形成装置本体の上方に着脱可能に接続し、前記シート積載トレイの下方に開閉部を有する画像形成装置本体おいて、前記開閉部は開いた状態で前記シート積載トレイと当接する位置に設けられ、かつ、前記シート積載トレイと前記開閉部に設けられた操作部との接触を避ける接触防止手段を有し、該接触防止手段は、前記開閉部に着脱可能に設けられた所定の高さの凸部であり、前記操作部を避ける位置に配置されていることを特徴とする。
【００１３】
【発明の実施の形態】
［第一実施形態］
本発明に係るシート後処理装置及び画像形成装置の第一実施形態について、図を用いて説明する。図１は本実施形態にかかるシート後処理装置及び画像形成装置本体上部の断面図、図２は画像形成装置の構成図、図３は画像形成装置の正面図、図４は開閉部を開いて、シート積載トレイを第二のポジションに持ち上げた状態の画像形成装置の断面図、図５はシート積載トレイが第２のポジションに持ち上げられ、開閉部が所定位置で止まった状態の画像形成装置の断面図、図６はシート積載トレイが第２のポジションに持ち上げられて、開閉部を閉じた状態の画像形成装置の断面図である。
【００１４】
図２に示すように、画像形成装置Ａは、画像形成装置本体１００とシート後処理装置３００から構成されている。画像形成装置本体１００は、単独にコンピュータに接続され或いはＬＡＮ等のネットワークに接続され、これらコンピュータやネットワークから送られた画像情報やプリント信号等に基づいて、所定の画像形成プロセスによってシートＳに画像形成（印字）し、排出する装置である。
【００１５】
シート後処理装置３００は、画像形成装置本体の上方に着脱可能に接続されている。シート後処理装置３００は、単純積載モードと後処理モードとを持っている。単純積載モードの際には、シート後処理装置３００は、画像形成装置本体１００から機外に排出されるシートＳを受け取り、入口ローラ３０１、中間ローラ３０２、排出ローラ３０３によって、シート積載トレイ３０４へと積載する。後処理モードの際には、シート後処理装置３００は、排出ローラ３０３を離間させておいて、シートＳを、いったん中間積載部３０５に複数枚積載して、搬送方向整合パドル３０６と、シート幅方向整合手段３０７によって、シート束を整合した後、図示せぬ後処理手段（ステイプラ、パンチャー等）によって、綴じ等の後処理を行い、再び、排出ローラ３０３を圧接して、シートＳをシート積載トレイ３０４へと排出する。
【００１６】
次に、図１、図３〜図６に基づいて、シート積載トレイ３０４の機構を説明する。図１に示すように、シート積載トレイ３０４は、シート幅方向両端の側面のリブ近傍の下面に同一形状の右リブ３０８と左リブ３０９（図３参照）とを着脱可能に設けている。また、右リブ３０８、左リブ３０９は、プリンタ操作部３１５を幅方向に避ける位置に配置されている。
【００１７】
シート積載トレイ３０４は、支点３１０を中心にシートＳを積載する第１のポジション（図１中実線の位置）とシートＳを積載させない第２のポジション（図１中破線の位置）との範囲を回動するようになっている。
【００１８】
シート積載トレイ３０４のシート幅方向の両側の位置に、保持部３１７を構成する保持片３１１、保持部材３１２、ストッパ部材３１３が、それぞれ配設されている。保持片３１１と保持部材３１２は、シート後処理装置３００のケーシング部に設けてあり、ストッパ部材３１３は、シート積載トレイ３０４に設けてある。
【００１９】
保持片３１１は、シート積載トレイ３０４を受け止めて第１のポジションに保持する部材である。保持片３１１は、画像形成装置本体１００の固定部品を使用してもよい。保持部材３１２は、ストッパ部材３１３と係合し、シート積載トレイ３０４を第２のポジションに保持する部材である。
【００２０】
保持部材３１２とストッパ部材３１３が係合するようになっているため、両部材の少なくとも一方は、弾性を有しており、弾性変形によって係脱するようになっているか、或いは、取り付け部分に対して出没するようになっており、出没力に抗してシート積載トレイ３０４を回動させることによって係脱するようになっている。
【００２１】
ここで、ユーザのジャム処理、画像形成装置本体１００の保守管理のメンテナンス時や、カートリッジ交換時におけるシート後処理装置３００の取り扱いの説明をする。
【００２２】
画像形成装置本体１００の上部には、開閉部であるカートリッジカバー３１４が形成されている。カートリッジカバー３１４は、ユーザが、ジャム処理、及びカートリッジＫの交換を行うときに開閉するカバーである。カートリッジカバー３１４は、矢印Ｄ方向に回転して所定角度を乗り越えると不図示のロック機構によってロックされて、図１に示すように、画像形成装置本体１００を開いた状態に保持され、そのロックポイントより矢印Ｅ方向に自重で下がらないようになっている。したがって、カートリッジカバー３１４は、画像形成装置本体１００を開いた状態で、ユーザのジャム処理、メンテナンス、カートリッジ交換等の作業に支障を与えないようになっている。
【００２３】
カートリッジカバー３１４には、画像形成装置本体１００の動作を操作する操作部３１５が設けられており、カートリッジ交換時には操作部３１５は、カートリッジカバー３１４と共に回動する。操作部３１５は、カートリッジカバー外周３１４ａから突出した操作ボタン３１６、液晶パネル等から構成されている。
【００２４】
ここで、カートリッジカバー３１４を開く動作を説明する。
【００２５】
ユーザがカートリッジカバー３１４を所定角度開いたところで、図１の破線で示すように、カートリッジカバー３１４の外周面３１４ａが、上方に位置するシート積載トレイ３０４の右リブ３０８と左リブ３０９とに接触する。カートリッジカバー３１４は、シート積載トレイ３０４に対して、右リブ３０８と左リブ３０９以外の部分には接触しないようになっている。また、このとき、右リブ３０８と左リブ３０９によって、操作ボタン３１６とシート積載トレイ３０４は所定の隙間Ｔを保っている。
【００２６】
カートリッジカバー３１４を矢印Ｄ方向にさらに開くと、右リブ３０８と左リブ３０９がカートリッジカバー３１４の外周面３１４ａを摺動し始める。シート積載トレイ３０４は、カートリッジカバー３１４に押されて、実線で示す第１のポジションから破線で示す第２のポジションへ回動を開始する。カートリッジカバー３１４は、所定のロックポイントよりも、更に、回動できるようになっている。このとき、カートリッジカバーは、シート積載トレイ３０４と操作ボタン３１６間に隙間Ｔを保ちながら回動する。またこの時、シート幅方向の右リブ３０８、左リブ３０９、操作部３１５の位置関係は、図３のように右リブ３０８、左リブ３０９は操作部３１５を避けた位置（操作部３１５のシート幅方向外側）に配置されており、右リブ３０８、左リブ３０９が操作部３１５上を摺動して移動することはない。
【００２７】
カートリッジカバー３１４を、さらに回動させると、図４に示すように、シート積載トレイ３０４に設けられたストッパ部材３１３が保持部材３１２を一旦乗りこえて保持部材３１２に係合することにより、シート積載トレイ３０４が第２のポジションに保持される。このとき、シート積載トレイ３０４は、ストッパ部材３１３と保持部材３１２との係合によって第２のポジションに保持されて、第１のポジションへ自重で下がらないようになっている。
【００２８】
カートリッジカバー３１４は、ユーザが手を離すと、所定の角度まで自重で下降回動して、不図示のロック機構によってロックされ、図５に示すように画像形成装置本体１００を開いた状態に保持される。このとき、カートリッジカバー３１４は、シート積載トレイ３０４の右リブ３０８と左リブ３０９から離れて、シート積載トレイ３０４の荷重がカートリッジカバー３１４に加わらないようになっている。このように、カートリッジカバー３１４がロックされて画像形成装置本体１００を開いた状態で、ユーザは、シートのジャム処理、画像形成装置本体１００のメンテナンス、カートリッジＫの交換等の作業を行う。
【００２９】
なお、シート積載トレイ３０４は、カートリッジカバー３１４より、先に、単独で上方に回動させて、第２のポジションに保持させてもよい。
【００３０】
次に、カートリッジカバー３１４を閉じる動作を説明する。
【００３１】
ユーザが、カートリッジカバー３１４のロック機構のロック力に抗して、カートリッジカバーを押し下げると、ロック機構のロックが解除されて、カートリッジカバー３１４は、図６に示すように、矢印Ｅ方向に回動して、画像形成装置本体１００を閉じる。このとき、シート積載トレイ３０４は、ストッパ部材３１３と保持部材３１２との係合によって、第２のポジションに保持されたままの状態にある。ユーザがストッパ部材３１３と保持部材３１２との係合力に抗してシート積載トレイ３０４を押し下げることによって、シート積載トレイ３０４は保持片３１１に受け止められて、第１のポジションに保持される。
【００３２】
上述のごとく構成したことにより、カートリッジカバー３１４の上方にシート後処理装置３００のシート積載トレイ３０４がある場合において、操作部３１５を有するカートリッジカバー３１４の開閉時にカートリッジカバー３１４がシート積載トレイ３０４と当接する時も、操作ボタン３１６が押されることはなく、カートリッジカバー３１４の開閉時の誤動作を防止することができる。また、操作部３１５の液晶パネル等もシート積載トレイ３０４に衝突することはなく、液晶パネル等の破損しやすい部品の保護を行うこともできる。また、操作部３１５の誤動作防止及び傷等への対策を操作部３１５に設ける必要がないので、自由に操作部３１５のデザインが可能となり、高いデザイン性を得ることができる。
【００３３】
［第二実施形態］
次に本発明に係るシート後処理装置及び画像形成装置の第二実施形態について図を用いて説明する。図７は本実施形態にかかる画像形成装置の正面図、図８は開閉部がシート積載トレイと当接した状態のシート後処理装置及び画像形成装置本体上部の断面図である。上記第一実施形態と説明の重複する部分については、同一の符号を付して説明を省略する。
【００３４】
本実施形態にかかる画像形成装置Ｃは、上記第一実施形態にかかるシート後処理装置３００のシート積載トレイ３０４の右リブ３０８、左リブ３０９に変えて、トレイ凹部３２０を設けたものである。
【００３５】
画像形成装置Ｃは、画像形成装置本体１００とシート後処理装置５００から構成されている。
【００３６】
画像形成装置本体１００は、画像形成装置本体１００の上部にカートリッジカバー３１４を設けている。カートリッジカバー３１４は、操作部３１５を有し、操作部３１５上にはカートリッジカバー３１４の外周面３１４ａより突出した操作ボタン３１６を設けている。
【００３７】
シート後処理装置５００は、画像形成装置本体１００から機外に排出されるシートＳを受け取り、入口ローラ５０１、排出ローラ５０２によって、シート積載トレイ３０４へと積載する。シート積載トレイ３０４の下面には、カートリッジカバー３１４を回動した際に操作部３１５及び操作ボタン３１６が当接する位置に、操作ボタン３１６の高さより深い、トレイ凹部３２０が設けられている。このため、カートリッジカバー３１４が開閉されて、シート積載トレイ３０４に接する際には、図８のように、操作部３１５及び操作ボタン３１６は、トレイ凹部３２０の中に入り込むこととなり、シート積載トレイ３０４に当接することはない。
【００３８】
このような構成により、上記第一実施形態と同様に、カートリッジカバー３１４の開閉時に操作ボタン３１６が誤って押されることはなく、カートリッジカバー３１４の開閉時の誤動作を防止することができる。また、操作部３１５の液晶パネル等もシート積載トレイ４０３に衝突することはなく、液晶パネル等の破損しやすい部品の保護を行うこともできる。
【００３９】
また、本実施形態のシート後処理装置５００は、上記第一実施形態のシート後処理装置３００と異なって、シート積載トレイ３０４の下面に設けられたトレイ凹部３２０により誤動作防止が行われるので、右リブ３０８、左リブ３０９のようにシート積載トレイ３０４から突出する部材を設ける必要がなく、シート後処理装置の外観をも損ねることはない。
【００４０】
［第三実施形態］
次に本発明に係る画像形成装置本体及び画像形成装置の第三実施形態について図を用いて説明する。図９は本実施形態にかかるシート後処理装置及び画像形成装置本体上部の断面図、図１０は画像形成装置の正面図、図１１は開閉部がシート積載トレイと当接した状態のシート後処理装置及び画像形成装置本体上部の断面図である。上記第一実施形態と説明の重複する部分については、同一の符号を付して説明を省略する。
【００４１】
図９に示すように、本実施形態における画像形成装置Ｂは、上記第一実施形態におけるシート後処理装置３００の右リブ３０８、左リブ３０９に変えて、右リブ３１８、左リブ３１９を画像形成装置本体１００に着脱可能に設けたものである。
【００４２】
画像形成装置Ｂは、画像形成装置本体１００とシート後処理装置４００から構成されている。
【００４３】
画像形成装置本体１００は、画像形成装置本体１００の上部にカートリッジカバー３１４を設けている。図１０に示すように、カートリッジカバー３１４は、操作部３１５を有し、操作部３１５を避ける位置（操作部３１５のシート幅方向外側）に右リブ３１８、左リブ３１９を着脱可能に設けている。操作部３１５はカートリッジカバー３１４の外周面３１４ａより突出した操作ボタン３１６を有し、右リブ３１８、左リブ３１９は操作ボタン３１６の高さより高くなっている。
【００４４】
シート後処理装置４００は、プリンタ本体から機外に排出されるシートＳを受け取り、入口ローラ４０１、排出ローラ４０２によって、シート積載トレイ４０３へと積載する。シート積載トレイ４０３はシート後処理装置４００に固定されており、可動することはない。
【００４５】
次に図１１を用いて、カートリッジカバー３１４を開いた時のシート積載トレイ３０４、カートリッジカバー３１４及び操作ボタン３１６の関係を説明する。
【００４６】
ユーザがカートリッジカバー３１４を所定角度開いたところで、図１１に示すように、カートリッジカバー３１４に設けられた右リブ３１８、左リブ３０９がシート積載トレイ４０３に接触する。カートリッジカバー３１４は、シート積載トレイ４０３に対して、右リブ３１８、左リブ３０９以外の部分では接触しないようになっている。よって、カートリッジカバー３１４の外周面３１４ａから突出している操作ボタン３１６がシート積載トレイ４０３に接することはない。
【００４７】
このような構成により、上記第一実施形態と同様に、カートリッジカバー３１４の開閉時に操作ボタン３１６が誤って押されることはなく、カートリッジカバー３１４の開閉時の誤動作を防止することができる。また、操作部３１５の液晶パネル等もシート積載トレイ４０３に衝突することはなく、液晶パネル等の破損しやすい部品の保護を行うこともできる。
【００４８】
また、シート後処理装置４００は、上記第一実施形態のシート後処理装置３００と異なって、画像形成装置本体１００が、操作ボタン３１６の誤動作防止機能を持つことになる。このため、画像形成装置本体１００はいかなるシート後処理装置が、その上方に接続される際でも、カートリッジカバー３１４の開閉時に操作部３１５がシート積載トレイに衝突することによる画像形成装置Ｂの誤動作の防止及び液晶パネル等の破損防止を行うことができる。
【００４９】
【発明の効果】
以上説明したように、シート積載トレイに、前記開閉部を開いた状態で前記開閉部と当接する位置に配置され、かつ、前記シート積載トレイと前記開閉部に設けられた操作部との接触を避ける接触防止手段を設けたことにより、カートリッジ開閉のための十分な高さを取ることなく、操作ボタンがシート積載トレイに押されて画像形成装置が誤動作することを防止することができる。よって、開閉部の開閉のための十分なスペースを取ることなく、画像形成装置の誤動作防止を行うことができるので、小型で安価なシート後処理装置を提供することができる。また、前記接触防止手段は、前記シート積載トレイに設けられた所定の高さの凸部であり、前記操作部を避ける位置に配置した。これにより、操作部が有する液晶パネル部等も破損から守ることができる。また、操作部の誤動作防止及び傷等への対策を操作部に設ける必要がないので、自由に操作部のデザインが可能となり、高いデザイン性を得ることができる。
【００５０】
また、接触防止手段は、前記シート積載トレイの下面に設けられた所定の深さのトレイ凹部であり、前記開閉部を開閉した際に前記操作部及び該操作部の操作ボタンが前記トレイ凹部に入り込む位置に設けられるよう構成したことにより、シート積載トレイから突出する部材を設ける必要がなく、シート後処理装置の外観を損なうことがない。
【００５１】
また、画像形成装置本体において、開閉部は開いた状態でシート積載トレイと当接する位置に設けられ、かつ、シート積載トレイと開閉部に設けられた操作部との接触を避ける接触防止手段を有し、該接触防止手段は、前記開閉部に着脱可能に設けられた所定の高さの凸部であり、前記操作部を避ける位置に配置した。これにより、いかなるシート後処理装置を上方に接続する際にも、画像形成装置の誤動作防止、液晶パネル等の破損防止という効果を得ることができる。
【図面の簡単な説明】
【図１】第一実施形態にかかるシート後処理装置及び画像形成装置本体上部の断面図である。
【図２】画像形成装置の構成図である。
【図３】画像形成装置の正面図である。
【図４】開閉部を開いて、シート積載トレイを第二のポジションに持ち上げた状態の画像形成装置の断面図である。
【図５】シート積載トレイが第２のポジションに持ち上げられ、開閉部が所定位置で止まった状態の画像形成装置の断面図である。
【図６】シート積載トレイが第２のポジションに持ち上げられて、開閉部を閉じた状態の画像形成装置の断面図である。
【図７】第二実施形態にかかる画像形成装置の正面図である。
【図８】開閉部がシート積載トレイと当接した状態のシート後処理装置及び画像形成装置本体上部の断面図である。
【図９】第三実施形態にかかるシート後処理装置及び画像形成装置本体上部の断面図である。
【図１０】画像形成装置の正面図である。
【図１１】開閉部がシート積載トレイと当接した状態のシート後処理装置及び画像形成装置本体上部の断面図である。
【符号の説明】
Ａ〜Ｃ　　　　…画像形成装置
Ｔ　　　　…隙間
１００　　　…画像形成装置本体
３００、４００、５００　　　…シート後処理装置
３０１、４０１、５０１　　　…入口ローラ
３０２　　　…中間ローラ
３０３、４０２、５０２　　　…排出ローラ
３０４、４０３　　　…シート積載トレイ
３０５　　　…中間積載部
３０６　　　…搬送方向整合パドル
３０７　　　…シート幅方向整合手段
３０８、３１８　　　…右リブ
３０９、３１９　　　…左リブ
３１０　　　…支点
３１１　　　…保持片
３１２　　　…保持部材
３１３　　　…ストッパ部材
３１４　　　…カートリッジカバー
３１４ａ　…外周面
３１５　　　…操作部
３１６　　　…操作ボタン
３１７　　　…保持部
３２０　　　…トレイ凹部
【図１】
2004059194.tif 000003
【図２】
2004059194.tif 000004
【図３】
2004059194.tif 000005
【図４】
2004059194.tif 000006
【図５】
2004059194.tif 000007
【図６】
2004059194.tif 000008
【図７】
2004059194.tif 000009
【図８】
2004059194.tif 000010
【図９】
2004059194.tif 000011
【図１０】
2004059194.tif 000012
【図１１】
2004059194.tif 000013